(57)【特許請求の範囲】
【請求項１】
熱間鍛造によって、軸受外輪となる第１の素形材と軸受内輪となる第２の素形材を一対として製造する軸受素形材の製造方法において、前記熱間鍛造の工程の中に、第１の素形材を所定の寸法に拡径する拡径工程を設け、その拡径工程が、回転軸の先端面に形成された偏心孔の内面との接触により筒状の第１素形材を回転させ、その回転状態の第１素形材内の軸心を中心として回転自在に支持された拡径用ポンチの先端のテーパ軸部およびそのテーパ軸部に連続するストレート軸部を圧入して第１素形材を拡径させるようにした構成から成ることを特徴とする軸受素形材の製造方法。
【発明の詳細な説明】
【０００１】
【発明の属する技術分野】
この発明は、１つの素材から軸受の外輪および内輪の２つの軌道輪素形材を形成する軸受素形材の製造方法に関するものである。
【０００２】
【従来の技術】
軸受の外輪および内輪の形成用素材となる軸受素形材を１つの素材から形成する方法の１つとして図８に示したものが従来から知られている。この軸受素形材の製造方法は、下記の第１工程乃至第５工程から成る。
第１工程；図８（Ｉ）に示す柱状素材Ｂ0 を熱間により軸方向に据込んで図８（II）に示すように、円弧状外周面１０１を有する円盤状素材Ｂ1 を形成する。
第２工程；円盤状素材Ｂ1 を型鍛造により、図８（III ）に示す段付きの円筒状成形品Ｂ2 を形成する。ここで、円筒状成形品Ｂ2 は、外筒部１０２内において内筒部１０３の端部が一体化され、その内筒部１０３内に底１０４が設けられている。
第３工程；円筒状成形品Ｂ2 を図８（III ）に示す鎖線位置に沿って軸方向に切り離し、図８（IV）に示すように、外筒部１０２と底付きの円筒部１０３とに分離する。
第４工程；底付き内筒部１０３を打抜き装置によって、図８（Ｖ）に示すように、底１０４を打抜き、内輪素形材１０６を形成する。
第５工程；外筒部１０２をローリング成形により拡径すると共に、内径面に環状溝１０８を成形して図８（VI) に示すように、外輪素形材１０７を形成する。
【０００３】
第１工程の据込みから第４工程の分離までの処理は、多段送り型の鍛造機によって熱間により連続的に処理され、その処理後において外筒部１０２および内筒部１０３が鍛造機から取り出される。一方、第５工程の拡径は、図９に示すロールフォーマにより冷間によって成形される。
【０００４】
ロールフォーマは、溝を有するメインローラ１１０とマンドレル１１１に形成された溝成形用の環状突出部１１２とで外筒部１０２の一部を外径面および内径面から挟み、メインローラ１１０の回転により外筒部１０２を接触回転させ、その回転状態の外筒部１０２にマンドレル１１１を押し付けて外筒部１０２を拡径させると共に、内径面に環状溝１０８を成形するようにしている。
【０００５】
ここで、ロールフォーマによって成形される外筒部１０２の内径面には段１０５が形成されている。この段１０５は、第３工程において、円筒状成形品Ｂ2 を軸方向に切断する際に必然的に形成される。このため、ローリング成形される外筒部１０２が外径面に段のない円筒面であると、外筒部１０２の両端部における厚みの相違によって、外筒部１０２を良好にローリング成形することができず、品質の良好な外輪素形材１０７を得ることができない。
【０００６】
そこで、外筒部１０２には、第２工程の型鍛造において、外径面に予め段１０９を形成して、外筒部１０２の厚みの均一化を図り、ローリング成形によって品質の優れた外輪素形材が得られるようにしている。
【０００７】
なお、第４工程によって形成された内輪素形材１０６および第５工程によって形成された外輪素形材１０７は、旋削加工、研削加工、あるいは熱処理等の加工を経て、図１０に示す玉軸受７の外輪７ａや内輪７ｂとされる。
【０００８】
【発明が解決しようとする課題】
ところで、図８に示す軸受素形材の製造方法においては、外輪素形材を得るために、第１工程乃至第５工程の５つの工程が必要であり、しかも、第５工程のローリング成形は冷間によるため、生産性が低いという問題がある。
【０００９】
また、多段送り型鍛造機の他に、冷間ローリング成形を行なうロールフォーマを別設備として備え付ける必要があるため、設備コストが高くつくという問題がある。
【００１０】
この発明の課題は、１つの素材から外輪素形材および内輪素形材の２つの軸受素形材を形成する製造方法において、外輪素形材の生産性の向上を図ることである。
【００１１】
【課題を解決するための手段】
上記の課題を解決するために、この発明においては、熱間鍛造によって、軸受外輪となる第１の素形材と軸受内輪となる第２の素形材を一対として製造する軸受素形材の製造方法において、前記熱間鍛造の工程の中に、回転軸の先端面に形成された偏心孔の内面との接触により筒状の第１素形材を回転させ、その回転状態の第１素形材内の軸心を中心として回転自在に支持された拡径用ポンチの先端のテーパ軸部およびそのテーパ軸部に連続するストレート軸部を圧入して第１素形材を拡径させる拡径工程を設けた構成を採用している。
【００１３】
【発明の実施の形態】
以下、この発明の実施の形態を図１乃至図７に基づいて説明する。
【００１４】
図１は、この発明に係る軸受素形材の製造方法によって成形される成形品を段階的に示すフロー図である。図１（Ｉ）に示される柱状素材Ａ0 は、高炭素クロム軸受鋼、肌焼鋼、機械構造用鋼等の硬い材料を素材としている。この柱状素材Ａ0 は、第１工程において軸方向への据込みが熱間により行われる。その据込みによって、図１（II）に示すように、円弧状外周面１を有する円盤状素材Ａ1 が成形される。
【００１５】
円盤状素材Ａ1 は、第２工程において型鍛造される。図２は型鍛造を行う成形装置１０を示す。成形装置１０は固定型１１と可動型１２とから成る。
【００１６】
固定型１１は固定盤１３を有し、その固定盤１３に固定されたダイホルダ１４によって、固定盤１３側からバッキングプレート１５、ガイド筒１６およびダイ１７が支持されている。
【００１７】
ダイ１７は、段付き孔１８を有する。この段付き孔１８の形成を容易とするため、上記ダイ１７を第１ダイ１７ａと第２ダイ１７ｂとで形成している。
【００１８】
段付き孔１８の大径孔部１８ａと小径孔部１８ｂ間の段１９は小径孔部１８ｂに向けて傾斜するテーパ面とされている。小径孔部１８ｂにはノックアウト用のスリーブ２０の先端部が挿入されている。
【００１９】
スリーブ２０は、その後端部に設けられたフランジ２１がガイド筒１６の内周に沿ってスライド自在に支持され、その後端面に当接するノックアウトピン２２の押圧によって軸方向に移動される。スリーブ２０は、前記バッキングプレート１５の表面に後端が当接する後退位置において、先端がテーパ面から成る段１９より少し後退した位置に臨んでいる。
【００２０】
スリーブ２０の内側にはポンチ２３が設けられている。ポンチ２３は窪み成形用の突部２４を先端に有し、その突部２４は後退停止位置に保持されたスリーブ２０の先端より前方に突出して小径孔部１８ｂ内に臨んでいる。
【００２１】
可動型１２はダイ１７の軸心上に配置されたポンチ２５を有する。ポンチ２５には、先端側から第１突部２６と、その第１突部２６より大径の第２突部２７とが設けられ、各突出部２６、２７の外周には抜き勾配が付けられている。また、第２突部２７の付根における肩２８はダイ１７の段１９と同方向に傾斜するテーパ面とされている。
【００２２】
図１（II）に示す円盤状素材Ａ1 は、図２（Ｉ）に示すように、ダイ１７の表面側にセットされ、可動型１２の固定型１１に向けての移動により熱間成形される。
【００２３】
図２（II）はその成形状態を示し、円盤状素材Ａ1 はダイ１７の段付き孔１８によって外径が成形されると共に、固定型１１におけるポンチ２３の突部２４および可動型１２におけるポンチ２５の第１突部２６と第２突部２７によって内径が成形され、段付きの円筒状成形品Ａ2 が形成される。
【００２４】
円筒状成形品Ａ2 は、可動型１２の後退後、スリーブ２０の軸方向の移動によって固定型１１のダイ１７から取り出される。
【００２５】
図１（III ）は、成形装置１０から取り出された円筒状成形品Ａ2 を示す。この円筒状成形品Ａ2 は、第１素形材としての外筒部Ｒ1 と、その外筒部Ｒ1 に対して軸方向に位置がずれ、外筒部Ｒ1 内において端部が一体化された第２素形材としての内筒部Ｒ2 とを有し、上記外筒部Ｒ1 の両端には同方向に傾斜するテーパ面２ａ、２ｂが設けられている。また、外筒部Ｒ1 には軸方向の全体にわたって同一径の円筒状外径面３ａと、ポンチ２５の抜き勾配に相当するテーパ状内径面３ｂとが設けられている。
【００２６】
一方、内筒部Ｒ2 の外径は外筒部Ｒ1 の小径側内端の内径と略同径とされ、内部には底４が設けられている。
【００２７】
上記円筒状成形品Ａ2 は、次に図３に示す分離・打抜き装置３０にセットされ、その分離・打抜き装置３０によって外筒部Ｒ1 と内筒部Ｒ2 の分離と内筒部Ｒ2 の底４の打抜きとが熱間において同時に行われる。
【００２８】
分離・打抜き装置３０は、固定型３１と可動型３２とから成る。固定型３１は固定盤３３を有し、その固定盤３３に固定されたダイホルダ３４によって、固定盤３３側からガイド筒３５と、ダイ３６とが支持されている。
【００２９】
ダイ３６はセット孔３７を有し、そのセット孔３７の内径は円筒状成形品Ａ2 の外筒部Ｒ1 がほぼぴったりと嵌り込む大きさとされている。
【００３０】
ガイド筒３５の内側にはノックアウト用のスリーブ３８が軸方向にスライド自在に挿入されている。このスリーブ３８はその後端面に当接したノックアウトピン３９の押圧によって軸方向に移動され、ダイ３６のセット孔３７内に残される外筒部Ｒ1 をダイ３６から押し出すようになっている。
【００３１】
スリーブ３８内に挿入された分離用固定ポンチ４０は前記ガイド筒３５により軸方向に非可動に支持されて先端面がダイ３６の表面と略同一位置に保持されている。分離用固定ポンチ４０の先端部の外径は円筒状成形品Ａ2 の外筒部Ｒ1 内にほぼぴったりと嵌り合う大きさとされている。また、分離用固定ポンチ４０の内径は、円筒状成形品Ａ2 の内筒部Ｒ2 の内径より大きくされており、内筒部Ｒ2 から打抜かれる底４を固定盤３３に形成されたスクラップ排出孔４１に誘導可能とされている。
【００３２】
可動型３２は、筒状のポンチホルダ４２を有し、そのポンチホルダ４２内に筒状の分離用可動ポンチ４３の後端部が挿入されている。分離用可動ポンチ４３は後端部にフランジ４４を有し、そのフランジ４４はポンチホルダ４２の先端部に設けられたフランジ４５と、そのポンチホルダ４２内に組込まれたガイド筒４６の先端によって軸方向に移動するのが防止されている。
【００３３】
分離用可動ポンチ４３は、固定型３１における分離用固定ポンチ４０と同心状に保持されている。この分離用可動ポンチ４３の外径は固定型３１におけるダイ３６のセット孔３７の内径より小径とされている。また、分離用可動ポンチ４３の内径は、固定型３１における分離用固定ポンチ４０の先端部の外径と略同径とされ、可動型３２の前進時に先端が分離用固定ポンチ４０の先端部外側に嵌合するようになっている。
【００３４】
ガイド筒４６の内側にはノックアウト用のスリーブ４７の後端部が挿入されており、そのスリーブ４７の先端部は分離用可動ポンチ４３内にスライド自在に挿入されている。スリーブ４７は後端に当接するノックアウトピン４８の押圧により前進して分離用可動ポンチ４３内に残される内筒部Ｒ2 を、その分離用可動ポンチ４３の先端部に押し出すようになっている。
【００３５】
スリーブ４７の内側には底打抜き用の打抜きポンチ４９が設けられている。打抜きポンチ４９は軸方向に非可動の支持とされ、先端は分離用可動ポンチ４３の先端と略同一位置に保持されている。打抜きポンチ４９の先端部の外径は円筒状成形品Ａ2 の内筒部Ｒ2 の内径と略同径とされている。この打抜きポンチ４９の外周にはスリーブ４７の後退動を制限する段５０が形成されている。
【００３６】
円筒状成形品Ａ2 は、ダイ３６のセット孔３７と分離用固定ポンチ４０の先端部間に外筒部Ｒ1 の端部が嵌合するようセットされる。
【００３７】
円筒状成形品Ａ2 のセット後に可動型３２を固定型３１に向けて移動させると、可動型３２における分離用可動ポンチ４３が外筒部Ｒ1 の端面２ｂを軸方向に押圧し、その分離用可動ポンチ４３と分離用固定ポンチ４０によって外筒部Ｒ1 は、図３（II）に示すように、内筒部Ｒ2 との境界位置から切り離されてダイ３６のセット孔３７内に押し込まれる。
【００３８】
また、外筒部Ｒ1 と内筒部Ｒ2 の分離が行われる少し前の段階で内筒部Ｒ2 の底４は打抜きポンチ４９によって打抜かれて分離用固定ポンチ４０内に押し出される。分離用固定ポンチ４０内に押し出された底４は、その分離用固定ポンチ４０内に順次押し出される底４により押されてスクラップ排出孔４１から落下排出される。
【００３９】
一方、分離された内筒部Ｒ2 は可動型３２の後退により下方に取り出され、軸受内輪用素形材として使用される。また、ダイ３６のセット孔３７内に残る外筒部Ｒ1 は、スリーブ３８の前進動によりダイ３６から取り出される。
【００４０】
図１（IV）は、分離・打抜き装置３０から取り出された外筒部Ｒ1 、内筒部Ｒ2 および底４を示す。外筒部Ｒ1 は次に図４に示す拡径装置６０により、熱間において拡径される。
【００４１】
拡径装置６０は、固定型６１と可動型６２とから成り、両型６１、６２間にはストリッパプレート６３が定位置に配置され、そのストリッパプレート６３に筒状のストリッパ６４が取付けられている。
【００４２】
固定型６１はダイホルダ６５を有し、そのダイホルダ６５に形成されたダイ嵌合孔６６にダイ６７が取付けられている。ダイ６７には外筒部Ｒ1 の拡径量を制限する成形孔６８の底に、その成形孔６８より小径のポンチ挿入孔６９が形成されている。成形孔６８の内径は、製品となる外輪素形材の外径と同径とされている。
【００４３】
可動型６２は、ダイ６７と同軸上に保持された拡径用ポンチ７０を有し、この拡径用ポンチ７０は前記ストリッパ６４内に挿入されている。
【００４４】
ポンチ７０はストレート軸部７１と、その先端に設けられたテーパ軸部７２とを有し、上記ストレート軸部７１の外径は製品となる外輪素形材の内径と同径とされている。
【００４５】
外筒部Ｒ1 は図４（Ｉ）に示すように、ダイ６７の成形孔６８内にセットされる。そのセット状態において、可動型６２を固定型６１に向けて移動させると、拡径用ポンチ７０のテーパ軸部７２が外筒部Ｒ1 内に侵入し、その侵入により外筒部Ｒ1 の内径面がしごき加工されて拡径される。ポンチ７０はテーパ軸部７２に続くストレート軸部７１が外筒部Ｒ1 内に侵入する位置まで移動し、上記ストレート軸部７１によって外筒部Ｒ1 の内径は所定の寸法とされると共に、外径面はダイ６７の成形孔６８により拡径量が制限され、その成形孔６８によって外径は所定の寸法とされ、図４（II）に示すように、外輪素形材Ｒ3 が形成される。
【００４６】
外輪素形材Ｒ3 は、可動型６２の後退時に拡径用ポンチ７０と共に後退し、上記拡径用ポンチ７０がストリッパ６４から抜け出る位置まで後退すると、そのストリッパ６４に対する当接によって拡径用ポンチ７０から排出される。図１（Ｖ）は排出された外輪素形材Ｒ3 を示す。
【００４７】
ここで、外筒部Ｒ1 を拡径用ポンチ７０の侵入によって拡径させるとき、外筒部Ｒ1 の内径部は拡径用ポンチ７０との接触によって軸方向にずれが生じ易く、上記外筒部Ｒ1 の端面が平坦であると、拡径された外輪素形材Ｒ3 の端面はテーパ面に形成されるおそれがある。
【００４８】
しかし、外筒部Ｒ1 の両端面２ａ、２ｂは、図２に示す成形装置１０によって予め逆方向のテーパ面とされているため、このテーパ面は外筒部Ｒ1 の拡径時に平坦面とされる。このため、両端面の平行度の優れた外輪素形材Ｒ3 を形成することができる。
【００４９】
実施の形態では、説明の都合上、成形装置１０、分離・打抜き装置３０および拡径装置６０のそれぞれを独立した状態で説明したが、これらの各装置１０、３０、６０の固定型１１、３１、６１は多段送り型鍛造機の固定ブロックによって支持されていると共に、可動型１２、３２、６２は共通のプレススライドに支持されて同時に移動されるようになっており、熱間により据込まれた円盤状素材Ａ1 は、成形装置１０、分離・打抜き装置３０および拡径装置６０のそれぞれに順送りされて成形、分離・打抜きおよび拡径の処理が熱間により連続して行われる。また、成形装置１０から分離・打抜き装置３０に成形品Ａ2 が送られるとき、その成形品Ａ2 は外筒部Ｒ1 と内筒部Ｒ2 の向きが反転される。
【００５０】
このように、円盤状素材Ａ1 を成形装置１０により外筒部Ｒ1 と内筒部Ｒ2 を有する段付きの円筒状成形品Ａ2 を成形し、この円筒状成形品Ａ2 を分離・打抜き装置３０によって外筒部Ｒ1 と内筒部Ｒ2 を分離すると同時に底４を抜き、分離後の外筒部Ｒ1 を拡径装置６０により拡径するようにしたので、内輪素形材Ｒ2 および外輪素形材Ｒ3 をきわめて能率よく製造することができると共に、従来の技術の項で述べた冷間ローリング加工を行うロールフォーマを不要とすることができ、コスト的にきわめて有利である。
【００５１】
また、外輪素形材の製造において、従来のローリング成形のような溝付き成形はできないが、溝成形加工量は比較的少ないので、後の旋削工程で容易に加工でき、トータルとして外輪の生産性を高めることができる。
【００５２】
図５は拡径装置６０の他の例を示す。この拡径装置６０は、ホルダ８０に支持された軸受ハウジング８１にラジアル軸受８２およびスラスト軸受８３を取付け、その各軸受８２、８３によって回転自在に支持された回転軸８４に偏心孔８５と、その偏心孔８５の底面にポンチ挿入孔８６とを設け、一方、可動型８７には回転軸８４の回転軸心上にポンチ８８を設けて回転自在に支持している。
【００５３】
外筒部Ｒ1 の拡径に際しては、その外筒部Ｒ1 を偏心孔８５内にセットして回転軸８４を回転し、外筒部Ｒ1 の内側にポンチ８８のテーパ軸部８９を挿入して外筒部Ｒ1 およびポンチ８８を回転軸８４との接触により回転させ、その回転する外筒部Ｒ1 内にポンチ８８のテーパ軸部８９からストレート軸部９０を挿入して外筒部Ｒ1 を拡径する。
【００５４】
上記のように、外筒部Ｒ1 を回転させつつポンチ８８によって拡径することにより、外筒部Ｒ1 を無理なく拡径させることができ、外筒部Ｒ1 に亀裂が発生するのを防止することができる。
【００５５】
図２に示す成形装置１０において、ダイ１７に形成された段付き孔１８の小径孔部１８ｂの内径面およびポンチ２５に形成された第２突部２７の外径面をそれぞれ同方向に傾斜するテーパ面とすることにより、図６（Ｉ）に示すように、外筒部Ｒ1 の内径面５ａおよび内筒部Ｒ2 の外径面５ｂがそれぞれテーパ面とされた段付きの円筒状成形品Ａ3 が得られる。この円筒状成形品Ａ3 を図３に示す分離・打抜き装置３０によって図６（Ｉ）の鎖線で示す位置から分離し、同時に内筒部Ｒ2 の底４を打抜くことにより、図６（II）に示すように、テーパ状内径面５ａを有する外筒部Ｒ1 およびテーパ状外径面５ｂを有する内筒部Ｒ2 を得ることができ、内筒部Ｒ2 は図７に示す円錐ころ軸受６の内輪６ｂの素形材として使用することができる。
【００５６】
また、外筒部Ｒ1 を拡径することにより、その外筒部Ｒ1 を円錐ころ軸受６の外輪６ａの素形材として使用することができる。
【００５７】
ここで、外筒部Ｒ1 の拡径に際しては、図４および図５に示す拡径装置６０の可動型６２におけるポンチ７０、８８の先端部にテーパ軸部を設け、そのテーパ軸部を外筒部Ｒ1 内に圧入する。
【００５８】
【発明の効果】
以上のように、この発明においては、軸受外輪となる第１の素形材と、軸受内輪となる第２の素形材を一対として製造する熱間鍛造の工程の中に、第１の素形材を拡径させる工程を設けたことにより、割れのない良好な外輪素形材をきわめて能率よく生産することができる。
【００５９】
また、従来必要であった冷間ローリングを行うロールフォーマを不要とすることができるので、製造設備を簡素化することができ、コスト的に有利である。
【図面の簡単な説明】
【図１】（Ｉ）乃至（Ｖ）は、この発明に係る軸受素形材の製造方法によって成形される成形品を段階的に示すフロー図
【図２】（Ｉ）は成形装置の断面図、（II）は成形状態を示す断面図
【図３】（Ｉ）は分離・打抜き装置の断面図、（II）はその作動状態を示す断面図
【図４】（Ｉ）は拡径装置の断面図、（II）はその作動状態を示す断面図
【図５】（Ｉ）は拡径装置の他の例を示す断面図、（II）は（Ｉ）の横断平面図
【図６】（Ｉ）は同上の段付き円筒状成形品の他の例を示す断面図、（II）はその円筒状成形品の分離状態を示す断面図
【図７】円すいころ軸受の断面図
【図８】従来の軸受素形材の製造方法によって成形される成形品を段階的に示すフロー図
【図９】ロールフォーマを示す平面図
【図１０】玉軸受の断面図
【符号の説明】
Ａ1   円盤状素材
Ｒ1   外筒部
Ｒ2   内筒部
７０  拡径用ポンチ
７１  ストレート軸部
７２  テーパ軸部
【図１】
0003720564.tif 000002
【図２】
0003720564.tif 000003
【図３】
0003720564.tif 000004
【図４】
0003720564.tif 000005
【図５】
0003720564.tif 000006
【図６】
0003720564.tif 000007
【図７】
0003720564.tif 000008
【図８】
0003720564.tif 000009
【図９】
0003720564.tif 000010
【図１０】
0003720564.tif 000011